(57)【要約】【課題】クッション性が良好であると共にへたり難く、蒸れ難く、かつ一定の品質を得やすく、枕やソファのクッションあるいはリクライニング等のクッション体として好適な詰め物体の提供を目的とする。【課題を解決するための手段】通気性のある袋体１１に形成した充填口から、軟質ポリウレタン発泡体等で構成される一辺が３〜５０ｍｍの立方体からなる多孔質発泡体の裁断物２１を、非接着の状態で所定量充填することによって、クッション性が良好であると共にへたり難く、蒸れ難く、かつ一定の品質を得やすい詰め物体１０を構成した。【選択図】図２
2015173705.tif 000002
【特許請求の範囲】
【請求項１】
通気性のある袋体に、一辺が３〜５０ｍｍの立方体からなる多孔質発泡体の裁断物を充填した詰め物体。
【請求項２】
前記多孔質発泡体の裁断物を非接着としたことを特徴とする詰め物体。
【請求項３】
前記多孔質発泡体の裁断物は軟質ポリウレタン発泡体の裁断物からなることを特徴とする請求項１または２に記載の詰め物体。
【請求項４】
前記袋体内を上下二つの空間に仕切り、一方の空間に前記立方体からなる多孔質発泡体の裁断物を充填し、他方の空間に弾性体のチップを充填したことを特徴とする請求項１から３の何れか一項に記載の詰め物体。
【発明の詳細な説明】
【技術分野】
【０００１】
本発明は、枕、座布団、ソファの座部、リクライニング等のクッション体に用いられる詰め物体に関する。
【背景技術】
【０００２】
従来、枕、座布団、ソファの座部、リクライニングチェア等のクッション体に用いられる詰め物体として、（ａ）ポリウレタン発泡体のチップ等を接着剤で固めたものを袋体に収容したもの（特許文献１）、（ｂ）接着剤と共に発泡合成樹脂の破材を袋内に吹き込んで固化させたもの（特許文献２）、（ｃ）袋内にポリウレタン発泡体のチップ等を吹き込みによって充填したもの（特許文献３）がある。
【０００３】
しかし、（ａ）チップ等を接着材で固めたものや（ｂ）接着剤と共に発泡合成樹脂の破材を袋内に吹き込んで固めたものは、接着剤にチップ等の周囲が覆われるためにクッション性が低下する問題や、チップ等が接着剤で接合されるためにチップ等間が接着剤で塞がれて通気性が損なわれ、蒸れやすい問題、さらには、使用によって圧縮される部位は、通常同一部分となるため、同一のチップ等に対して圧縮が繰り返されることになり、へたりやすい（永久変形しやすい）問題がある。
一方、（ｃ）袋内にポリウレタン発泡体のチップ等を吹き込んだものは、チップ等が不均一な形状や大きさのため、チップ間が密に充填されて、ダマになりやすく、クッション性、流動性が損なわれ、部分的に通気性が損なわれたり、へたりやすく、形状復元性も低減し、品質がバラツキやすい問題がある。
【先行技術文献】
【特許文献】
【０００４】
【特許文献１】特開２０１２−１９２１１６号公報
【特許文献２】特開２００３−２３６２７４号公報
【特許文献３】特開２００３−５３０６６号公報
【発明の概要】
【発明が解決しようとする課題】
【０００５】
本発明は前記の点に鑑みなされたものであって、クッション性が良好であると共にへたり難く、蒸れ難く、かつ一定の品質を得やすい詰め物体の提供を目的とする。
【課題を解決するための手段】
【０００６】
請求項１の発明は、通気性のある袋体に、一辺が３〜５０ｍｍの立方体からなる多孔質発泡体の裁断物を充填した詰め物体に係る。
【０００７】
請求項２の発明は、請求項１において、前記多孔質発泡体の裁断物を非接着としたことを特徴とする。
請求項３の発明は、請求項１または２において、前記多孔質発泡体の裁断物は軟質ポリウレタン発泡体の裁断物からなることを特徴とする。
【０００８】
請求項４の発明は、請求項１から３の何れか一項において、前記袋体内を上下二つの空間に仕切り、一方の空間に前記立方体からなる多孔質発泡体の裁断物を充填し、他方の空間に弾性体のチップを充填したことを特徴とする。
【発明の効果】
【０００９】
請求項１の発明によれば、通気性のある袋体内に充填された多孔質発泡体の裁断物が、一辺が３〜５０ｍｍの立方体からなるため、詰め物体はクッション性が良好であると共にへたり難くなり、かつ裁断物間に隙間となる空間が確保され、立方体が流動しやすくなるので、ドレープ性と通気性が良好になって蒸れ難くなる。また、詰め物体は、一辺が３〜５０ｍｍの立方体からなる多孔質発泡体の裁断物が充填されるため、押しつぶされた後の形状復元性もあり、一定の品質を得やすい。
【００１０】
請求項２の発明によれば、通気性のある袋体内に充填された多孔質発泡体の裁断物同士が非接着であり、かつ裁断物が接着剤で覆われないため、詰め物体のクッション性及び通気性がより良好になる共にへたり難くなる。
請求項３の発明によれば、裁断物を軟質ポリウレタン発泡体の裁断物としたため、軟質ポリウレタン発泡体のクッション性によって詰め物体のクッション性を良好にすることができる。また、軟質ポリウレタン発泡体の物性を、詰め物体の用途に応じて決定することができる。
【００１１】
請求項４の発明によれば、袋体内を上下二つの空間に仕切り、一方の空間に立方体からなる多孔質発泡体の裁断物を充填し、他方の空間に弾性体のチップを充填したため、詰め物体の両側でクッション性等を異ならせることができ、使用者は好みの側を使用することができる。
【図面の簡単な説明】
【００１２】
【図１】本発明の第１実施形態に係る枕用の詰め物体の平面図である。
【図２】図１のＡ−Ａ断面図である。
【図３】図１のＢ−Ｂ断面図である。
【図４】立方体からなる多孔質発泡体の裁断物の斜視図である。
【図５】本発明の第２実施形態に係る枕用の詰め物体の平面図である。
【図６】図５のＣ−Ｃ断面図である。
【図７】図５のＤ−Ｄ断面図である。
【図８】本発明の詰め物体からなる座部クッション体を有するソファの斜視図である。
【図９】本発明の詰め物体からなるリクライニングチェアの斜視図である。
【発明を実施するための形態】
【００１３】
図１から図３に示す本発明の第１実施形態の詰め物体１０は、枕として使用されるものであり、袋体１１に立方体からなる多孔質発泡体の裁断物２１を充填したものである。前記立方体からなる多孔質発泡体の裁断物２１は、前記袋体１１内で非接着となっている。図４に前記立方体からなる多孔質発泡体の裁断物２１を示す。
【００１４】
前記袋体１１は、通気性のある可撓性の材質、例えば布材等からなり、縫製等によって横長な枕形状とされている。図３に示すように前記袋体１１の側面には、前記立方体からなる多孔質発泡体の裁断物２１を充填する際に使用される充填口１５が形成されている。前記充填口１５は、ボタンやファスナー等で開閉可能となっている。前記充填口１５にノズルを差し込んで前記立方体からなる多孔質発泡体の裁断物２１を前記袋体１１内に吹き込むことにより、前記袋体１１内に充填することができる。
【００１５】
また、前記袋体１１の内部には、上面１３と下面１４間に上下方向の仕切り１６１、１６２、１６３が設けられ、前記袋体１１に充填された立方体からなる多孔質発泡体の裁断物２１が、前記袋体１１内の一部に偏るのを仕切り１６１、１６２、１６３で抑えるように構成されている。前記仕切り１６１、１６２、１６３は、前記立方体からなる多孔質発泡体の裁断物２１を充填する際に、前記多孔質発泡体の裁断物２１が前記袋体１１内の全体に充填されるように、前記袋体１１内を完全に仕切らず、部分的に仕切るように設けられている。前記仕切り１６１、１６２、１６３は、可撓性の材質、例えば布等からなる。
【００１６】
前記立方体からなる多孔質発泡体の裁断物２１は、立方体形状からなるため、前記袋体１１内で前記裁断物２１間に隙間が確保されやすく、通気性が良好となる。前記立方体の一辺の長さは３〜５０ｍｍが好ましい。３ｍｍ未満の場合には、前記袋体１１内で前記裁断物２１間に隙間を生じにくくなり、蒸れやすくなる。一方、５０ｍｍを超える場合には、前記詰め物体１０の使用感が低下するようになる。より好ましい一辺の寸法は１０〜３０ｍｍである。さらに、前記立方体からなる多孔質発泡体の裁断物２１は、前記詰め物体１０の品質のバラツキを小さくするため、一辺の寸法が設定値±１０％以内である略均一な大きさの立方体とするのが好ましい。
【００１７】
前記多孔質発泡体は、弾性を有するものが使用され、例えば、軟質ポリウレタン発泡体、ポリオレフィン発泡体等を挙げることができる。特に軟質ポリウレタン発泡体は、密度、硬さ、弾性等の物性を選択することができるため、前記多孔質発泡体の裁断物２１を、前記詰め物体１０の用途に応じた物性のものとすることができる。
【００１８】
なお、立方体からなる多孔質発泡体の裁断物２１は、周知の方法、すなわち特開２００６−３４１１４５号公報及び特開２０１２−１９２１１６号公報で示されている装置を用いて容易に行うことができる。簡略に述べると、シート状の多孔質発泡体を連続的に供給し、該シートの供給方向に沿って切り込みを第１カッターで連続に、かつ並列に複数形成し、その後に前記切り込みと直交する刃が形成された第２カッターにより、前記切り込みを所定間隔（切り込みの間隔と等しい間隔）で切断することにより、立方体の裁断物を得ることができる。
【００１９】
図５〜図７に示す第２実施形態の詰め物体１０Ａは、第１実施形態と同様に枕として使用されるものであり、袋体１１Ａに立方体からなる多孔質発泡体の裁断物２１Ａと、弾性体のチップ２３Ａを上下に分けて充填し、裏表で物性を異ならせたものである。
【００２０】
前記袋体１１Ａは、通気性のある可撓性の材質、例えば布材等からなり、縫製等によって横長な枕形状とされている。図７に示すように前記袋体１１Ａの側面には、前記立方体からなる多孔質発泡体の裁断物２１Ａを充填する際に使用される充填口１６１Ａと、前記弾性体のチップ２３Ａを充填する際に使用される充填口１６２Ａが上下に分かれて形成されている。前記充填口１６１Ａ、１６２Ａは、ボタンやファスナー等でそれぞれ開閉可能とされている。
【００２１】
また、前記袋体１１Ａの内部には、上面１３Ａと下面１４Ａ間に水平方向の仕切り１７１Ａと、上下方向の仕切り１８１Ａ、１８２Ａ、１８３Ａが設けられている。前記水平方向の仕切り１７１Ａによって、前記袋体１１Ａの内部空間が上下に仕切られている。前記袋体１１Ａ内の一方の空間には、前記前記立方体からなる多孔質発泡体の裁断物２１Ａが、前記充填口１６１Ａを利用して充填され、他方の空間には前記弾性体のチップ２３Ａが、前記充填口１６２Ａを利用して充填されている。
【００２２】
前記上下方向の仕切り１８１Ａ、１８２Ａ、１８３Ａは、前記袋体１１Ａに充填された前記立方体からなる多孔質発泡体の裁断物２１Ａと前記弾性体のチップ２３Ａが、それぞれ充填された空間内で偏るのを抑える。また、前記上下方向の仕切り１８１Ａ、１８２Ａ、１８３Ａは、前記立方体からなる多孔質発泡体の裁断物２１Ａ及び前記弾性体のチップ２３Ａが、前記袋体１１Ａ内のそれぞれの空間全体に充填されるように、前記袋体１１Ａ内を完全に仕切らず、部分的に仕切るように設けられている。前記水平方向の仕切り１７１Ａと前記上下方向の仕切り１８１Ａ、１８２Ａ、１８３Ａは、可撓性の材質、例えば布等からなる。
【００２３】
前記立方体からなる多孔質発泡体の裁断物２１Ａは、前記第１実施形態の立方体からなる多孔質発泡体の裁断物２１と同様の材質及び寸法からなる。
前記弾性体のチップ２３Ａは、軟質ポリウレタン発泡体や発泡オレフィン発泡体の粉砕物等を単独であるいは混合して使用される。この粉砕物は、公知の粉砕機を用いて使用され、その粒子形状は一定ではない。また、前記弾性体のチップ２３Ａの大きさは特に限定されないが、１〜５０ｍｍが好ましい。前記弾性体のチップ２３Ａには、前記立方体からなる多孔質発泡体の裁断物２１Ａを混合してもよい。
さらに、前記弾性発泡体のチップ２３Ａを、前記立方体からなる多孔質発泡体の裁断物２１Ａとは異なるサイズの立方体からなる多孔質発泡体の裁断物とし、前記袋体１１Ａ内の上下２つ空間に、それぞれサイズを異ならせた、あるいは物性を異ならせた立方体からなる多孔質発泡体の裁断物を充填してもよい。
【００２４】
本発明の詰め物体は、前記のような枕用のものに限られず、他の寝具あるいは家具等に用いられるクッション体であってもよい。
図８に示す第３実施形態の詰め物体１０Ｂは、ソファの座部クッション体として使用されるものであり、通気性のある袋体に、一辺が３〜５０ｍｍの立方体からなる多孔質発泡体の裁断物を充填したものである。
図９に示す第４実施形態の詰め物体１０Ｃは、リクライニングチェアとして使用されるものであり、通気性のある袋体に、金属フレームが配設されると共に、一辺が３〜５０ｍｍの立方体からなる多孔質発泡体の裁断物を充填したものである。
【００２５】
上記のように、本発明の詰め物体は、通気性のある袋体内に充填された多孔質発泡体の裁断物が、一辺が３〜５０ｍｍの立方体からなるため、クッション性が良好であると共に長期使用によってへたり難く、かつ裁断物間に隙間が確保され、通気性が良好で蒸れ難いものである。
【実施例】
【００２６】
以下に本発明の一実施例を具体的に示す。まず、通気性を有する綿の布生地から縫合によって、枕形状の袋体（平面形状が４３０×６３０ｍｍの長方形、最大厚み１２０ｍｍ）を作成した。なお袋体内には、図１〜図３に示した仕切りを３カ所に部分的に設けた。
また、密度３５ｋｇ／ｍ３、２５％圧縮硬さ（ＪＩＳ  Ｋ６４００-２  ６．７  Ｄ法）１４７．１Ｎ、通気性（ＪＩＳ  Ｋ６４００-２  Ｂ法）  ４３Ｌ／ｍｉｎ．の軟質ポリウレタン発泡体から、裁断によって一辺４ｍｍの立方体の裁断物を作成した。
前記袋体に形成した充填口にノズルを差し込む。該ノズルは、前記立方体の裁断物を入れたタンクに接続され、このタンクに接続されたブロアから吹出されるエアーによって、前記立方体の裁断物の５２０ｇを前記袋体内に計量充填し、その後に前記充填口を閉じて実施例の枕用詰め物体を作成した
前記実施例の枕用詰め物体は、軟質ポリウレタンからなる一辺４ｍｍの立方体の裁断物が、通気性のある袋体内に充填されているため、使用した際にクッション性があり、蒸れを感じ難いものである。
【符号の説明】
【００２７】
１０、１０Ａ、１０Ｂ、１０Ｃ  詰め物体
１１、１１Ａ  袋体
２１、２１Ａ  立方体からなる多孔質発泡体の裁断物
２３Ａ  弾性体のチップ
【図１】
2015173705.tif 000003
【図２】
2015173705.tif 000004
【図３】
2015173705.tif 000005
【図４】
2015173705.tif 000006
【図５】
2015173705.tif 000007
【図６】
2015173705.tif 000008
【図７】
2015173705.tif 000009
【図８】
2015173705.tif 000010
【図９】
2015173705.tif 000011